(57)【特許請求の範囲】
【請求項１】
積載部に積載された原稿を搬送路に給送する給送手段と、
前記搬送路を搬送される原稿の画像を読み取る読取手段と、
前記搬送路での原稿の重送状態を検知する重送検知手段と、
前記重送検知手段により重送検知された後の次処理を指定操作するための操作手段と、
前記重送検知手段により原稿の重送を検知すると、後続原稿の読取を停止させ且つ重送検知情報を用いて重送と判定しつつ、前記読取手段による、重送状態の原稿に対する画像の読取が全て完了した状態を保持した後、前記操作手段により操作されることで指定された、前記重送検知された後の次処理を実行するように制御する制御手段と、を備えることを特徴とする画像読取装置。
【請求項２】
前記操作手段は、重送を検知した原稿に対する画像の再読み取りを含む連続読取動作を再開する処理、重送を検知した原稿の次の原稿に対する画像の読み取りから連続読取動作を再開する処理、および連続読取動作を中止する処理のうちの少なくとも２つの処理が操作可能であることを特徴とする請求項１に記載の画像読取装置。
【請求項３】
前記操作手段は、重送検知後の処理動作を選択肢から選ぶための選択手段を備えることを特徴とする請求項１又は２に記載の画像読取装置。
【請求項４】
前記選択手段は、重送を検知した原稿に対する画像の再読み取りを含む連続読取動作を再開する処理、重送を検知した原稿の次の原稿に対する画像の読み取りから連続読取動作を再開する処理、および連続読取動作を中止する処理のうちの少なくとも２つの処理を選択肢に含み、該選択肢から一つを選択させることを特徴とする請求項３に記載の画像読取装置。
【請求項５】
前記操作手段によって前記重送を検知した原稿に対する画像の再読み取りを含む連続読取動作を再開する処理を操作すると、前記制御手段は、画像の読取中に重送が検知された原稿の前記読取手段により読み取られた画像データを、当該画像データの読取終了後に破棄することを特徴とする請求項２又は４に記載の画像読取装置。
【請求項６】
前記操作手段によって前記重送を検知した原稿の次の原稿に対する画像の読み取りから連続読取動作を再開する処理を操作すると、前記制御手段は、画像の読取中に重送が検知された原稿の前記読取手段により読み取られた画像データを、当該画像データの読取終了後に外部機器に送信することを特徴とする請求項２又は４に記載の画像読取装置。
【請求項７】
前記操作手段によって前記原稿の画像の読み取りを中止する処理を操作すると、前記制御手段は、画像の読取中に重送が検知された原稿の前記読取手段により読み取られた画像データを、当該画像データの読取終了後に破棄することを特徴とする請求項２〜６のいずれか一項に記載の画像読取装置。
【請求項８】
前記操作手段は、前記重送検知手段により重送を検知すると重送検知後の処理の操作画面を表示する表示手段を有することを特徴とする請求項１〜７のいずれか一項に記載の画像読取装置。
【請求項９】
前記制御手段は、前記重送検知手段により原稿の重送を検知すると、当該原稿を外部から引き抜き可能な位置まで搬送してから、該搬送を停止するように制御することを特徴とする請求項１〜８のいずれか一項に記載の画像読取装置。
【請求項１０】
積載部に積載された原稿を搬送路に給送する給送手段と、前記搬送路を搬送される原稿の画像を読み取る読取手段と、前記搬送路での原稿の重送状態を検知する重送検知手段と、を備える画像読取装置を制御するに際し、
前記重送検知手段により原稿の重送を検知すると、後続原稿の読取を停止させ且つ重送検知情報を用いて重送と判定しつつ、前記読取手段による、重送状態の原稿に対する画像の読取が全て完了した状態を保持するステップと、
前記重送検知情報を保持した後、前記重送検知手段による重送検知後の次処理を指定操作するための操作手段により操作されることで指定された、前記次処理を実行するステップと、を備えることを特徴とする画像読取装置の制御方法。
【請求項１１】
積載部に積載された原稿を搬送路に給送する給送手段と、前記搬送路を搬送される原稿の画像を読み取る読取手段と、前記搬送路での原稿の重送状態を検知する重送検知手段と、を備える画像読取装置を制御するに際し、
前記重送検知手段により原稿の重送を検知すると、後続原稿の読取を停止させ且つ重送検知情報を用いて重送と判定しつつ、前記読取手段による、重送状態の原稿に対する画像の読取が全て完了した状態を保持するステップと、
前記重送検知情報を保持した後、前記重送検知手段による重送検知後の次処理を指定操作するための操作手段により操作されることで指定された、前記次処理を実行するステップと、をコンピュータに実行させることを特徴とする画像読取装置の制御プログラム。
【発明の詳細な説明】
【技術分野】
【０００１】
本発明は、積載部に積載された原稿の画像を順次読み取る連続読取動作を行なう画像読取装置、画像読取装置の制御方法、および画像読取装置の制御プログラムに関する。
【背景技術】
【０００２】
原稿台に載置された複数枚の原稿を１枚ずつ分離して搬送路に給送し、連続的に原稿の画像を読み取る画像読取装置では、原稿の画像を読み取る前に、オペレータが、画像読取装置に外部接続されたホストコンピュータ等の情報処理装置内のスキャナドライバや画像キャプチャアプリケーションを利用して原稿画像読み取り時の解像度、画像サイズ、原稿の重送検知機能のＯＮ／ＯＦＦ、読み取った画像ファイルのファイル名、およびファイル形式などの設定を行う。
【０００３】
このような画像読取装置では、原稿の重送検知機能をＯＮに設定して原稿の画像を読み取らせた場合、読み取った画像データが情報処理装置に送出されている最中に、搬送する原稿に重送が発生したときは、原稿送りエラー発生時の処理として原稿送り動作および画像データの情報処理装置側への送出動作が中止される。
【０００４】
一方、情報処理装置側の処理プログラムであるスキャナドライバは、画像データ受信不良として画像データの保存処理を中止する。このとき、スキャナドライバから画像キャプチャアプリケーションプログラムに原稿送りエラーが通知され、エラーが発生した旨の画面（ダイアログボックス）が情報処理装置側のモニタ上に表示される（図１０参照）。
【０００５】
この場合、オペレータは、画像キャプチャアプリケーションプログラムなどにより情報処理装置に保存された画像ファイルの中から、重送が発生した原稿の読取画像の確認を行った後、原稿の読取作業をやり直すようにしている。
【０００６】
また、この問題を解決するために、原稿の重送が発生したときはすぐに読取を中止し、当該原稿をオペレータが除去したことを検出してから、画像読み取りを継続するか否かをオペレータに選択させるように、画像読取装置の操作部にスキャンを継続するか否かを確認するメッセージを表示する装置が提案されている（特許文献１参照）。
【先行技術文献】
【特許文献】
【０００７】
【特許文献１】特開２００５−３５４２０４号公報
【発明の概要】
【発明が解決しようとする課題】
【０００８】
しかし、上記従来の画像読取装置では、原稿の重送検知を有効に設定し、かつ重送と誤検知されやすい封筒や付箋紙付きの原稿など、様々な紙種が混在している原稿束をその積載順に読み取らせる場合、重送エラーが誤検知されてしまう種類の原稿が読み取られる度に当該原稿の読取を中断している。このため、重送検知機能のＯＮ／ＯＦＦ、読み取った画像ファイルに付与するファイル名、およびファイル形式などの再設定を行ってから当該原稿の画像読み取りを再開しなければならない。
【０００９】
また、これらの原稿を重送であると誤検知したときに、原稿の画像読み取りを継続するか否かをオペレータに選択させるように、画像読取装置の操作部にスキャンを継続するか否かを確認するメッセージを表示させ、原稿の画像読み取りを継続する場合であっても、装置内に滞留している原稿を取り除き、再び原稿台に載置しなければならない。
【００１０】
そこで、本発明は、原稿として封筒などの重送を誤検知しやすいものを読み取るときにわずらわしい再設定及び原稿の画像の再読取処理を行う必要がなく、読取作業の効率を向上させることができる画像読取装置、画像読取装置の制御方法および画像読取装置の制御プログラムを提供することを目的とする。
【課題を解決するための手段】
【００１１】
上記目的を達成するために、本発明の画像読取装置は、積載部に積載された原稿を搬送路に給送する給送手段と、前記搬送路を搬送される原稿の画像を読み取る読取手段と、前記搬送路での原稿の重送状態を検知する重送検知手段と、前記重送検知手段により重送検知された後の次処理を指定操作するための操作手段と、前記重送検知手段により原稿の重送を検知すると、後続原稿の読取を停止させ且つ重送検知情報を用いて重送と判定しつつ、前記読取手段による、重送状態の原稿に対する画像の読取が全て完了した状態を保持した後、前記操作手段により操作されることで指定された、前記重送検知された後の次処理を実行するように制御する制御手段と、を備えることを特徴とする。
【発明の効果】
【００１４】
本発明によれば、原稿の重送を検知したときに、当該原稿の画像の読取処理を完了させるとともに操作手段で操作された重送検知後の処理に対応したエラー回復処理を行うので、原稿が封筒などの場合で重送を誤検知したときにわずらわしい再設定及び原稿の画像の再読取処理を行う必要がなく、読取作業の効率を向上させることができる。
【図面の簡単な説明】
【００１５】
【図１】本発明の実施の形態の一例である画像読取装置の外観斜視図である。
【図２】図１に示す画像読取装置の概略断面図である。
【図３】画像読取装置の制御系を説明するためのブロック図である。
【図４】画像読取装置の操作パネルを説明するための図である。
【図５】画像読取装置におけるスキャン処理を説明するためのフローチャート図である。
【図６】図５のステップＳ６１０におけるスキャン終了処理を説明するためのフローチャート図である。
【図７】図５のステップＳ６２２における重送後処理を説明するためのフローチャート図である。
【図８】操作パネルの選択画面を示す図である。
【図９】操作パネルの選択画面を示す図である。
【図１０】スキャナドライバにより表示される重送検知エラーの画面を示す図である。
【図１１】スキャナドライバにより表示される継続ダイアログボックス画面を示す図である。
【発明を実施するための形態】
【００１６】
以下、本発明の実施の形態の一例を図を参照して説明する。
【００１７】
図１は本発明の実施の形態の一例である画像読取装置の外観斜視図、図２は図１に示す画像読取装置の概略断面図である。
【００１８】
図１に示すように、本実施形態の画像読取装置２００は、複数枚の原稿４０１が載置される原稿台（積載部）４０２と、排紙された原稿４０１が載置される排紙台４０３と、操作パネル４０４と、原稿４０１の載置位置を規制する原稿規制板４０５とを備える。
【００１９】
図２に示すように、画像読取装置２００は、原稿４０１を搬送路に給送する給送ローラ５０３と、給送ローラ５０３に追従して回転し複数の原稿が給送されたときに逆転して原稿を１枚ずつ分離する分離ローラ５０２と、搬送路の原稿４０１の有無を検知する給紙センサ５０４とを備える。
【００２０】
また、画像読取装置２００は、搬送路の原稿４０１の厚みにより原稿４０１の重送状態を検知する重送検知センサ５０５と、原稿４０１の通過の有無を検知するレジストセンサ５０６と、原稿４０１の表面の画像を読み取る表読取センサ５０７と、原稿４０１の裏面の画像を読み取る裏読取センサ５０８とを備える。
【００２１】
更に、画像読取装置２００は、排紙ローラ５１０に追従して回転する排紙従動ローラ５１２と、給送ローラ５０３および排紙ローラ５１０等を駆動するメインモータ５０９と、排紙される原稿４０１を検知する排紙センサ５１１とを備える。
【００２２】
図３は、画像読取装置２００の制御系を説明するためのブロック図である。
【００２３】
図３に示すように、画像読取装置２００は、表面画像読取センサ５０７および裏読取センサ５０８で読み取った画像データに対して色調補正などの所定の画像処理を行う画像処理部２０３と、画像処理された画像データを記憶する画像メモリ２０４とを有する。
【００２４】
また、画像読取装置２００は、原稿搬送用のローラの駆動モータを制御する駆動制御部２０５と、給紙センサ５０４，レジストセンサ５０６，排紙センサ５１１を制御する原稿検知センサ制御部２０６と、重送検知センサ５０５を制御する重送検知センサ制御部２１１と、装置全体を制御するＣＰＵ２０８とを有する。
【００２５】
更に、画像読取装置２００は、ＣＰＵ２０８が実行する各種制御プログラムを保持するフラッシュメモリ２０７と、駆動制御部２０５などの制御タイミング信号を発生するタイマ２０９と、画像データを送信するＳＣＳＩ制御部２１０と、操作パネル４０４に配置されたＬＣＤの表示を制御するＬＣＤ制御部２１２と、ＬＣＤ画面に表示される選択肢から動作を選ぶためのボタンスイッチを制御するスイッチ制御部２１３とを有する。
【００２６】
画像読取装置２００には、ＳＣＳＩ制御部２１０を介してホストコンピュータ２１４が接続されている。ホストコンピュータ２１４には、画像読取装置２００を制御するためのスキャナドライバや画像キャプチャアプリケーションがインストールされている。また、ホストコンピュータ２１４には、マウス／キーボード２２１やディスプレイ２２０が接続されている。
【００２７】
図４は、画像読取装置２００の操作パネル４０４を説明するための図である。
【００２８】
図４に示すように、操作パネル４０４は、画像読取装置２００の状態、重送検知機能のＯＮ／ＯＦＦを設定、および後述する重送エラー検知後の読取処理を選択するための選択肢を表示するＬＣＤ１８０３と、原稿４０１の画像読取を開始させるためのスタートボタン１８０４と、画像読取を停止させるためのストップボタン１８０５と、モード設定を行うためのモード設定ボタン１８０６と、モードの設定を変更するため、および重送エラー検知後の処理動作を選択肢から選ぶための選択ボタン１８０１，１８０２とを備える。
【００２９】
なお、モード設定ボタン１８０６の操作により、重送検知機能のＯＮ／ＯＦＦを設定することが可能である。
【００３０】
また、画像読取装置２００では、読み取り開始前に、ＳＣＳＩ制御部２１０経由でホストコンピュータ２１４からの原稿の読み取り設定、画像読み取り開始の指示を行うことが可能である。また、操作パネル４０４のモード設定ボタン１８０６の操作により、画像読み取り開始／停止を可能とする設定を行うことも可能である。
【００３１】
次に、図５〜図７を参照して、画像読取装置２００における原稿４０１の画像読取処理を説明する。ここで、図５〜図７の処理は、操作パネル４０４による画像読取開始／停止を可能とする設定がされている場合の処理を一例として示すものであり、フラッシュメモリ２０７に格納されたプログラムがＣＰＵ２０８により読み出されて実行される。なお、これらの処理の一部または全てをハードウエアで実現してもよい。
【００３２】
図５は、画像読取装置２００におけるスキャン処理を説明するためのフローチャート図である。
【００３３】
図５において、画像読取装置２００は、まず、ホストコンピュータ２１４からＳＣＳＩ制御部２１０を介して画像読み取り開始が通知されると、スタートボタン１８０４が押下されたか否かを判別する（ステップＳ６００）。この判別の結果、スタートボタン１８０４が押下されたときは（ステップＳ６００でＹＥＳ）、給紙センサ５０４により原稿４０１が存在することを確認した後（ステップＳ６０２でＹＥＳ）、メインモータ５０９を駆動して原稿４０１の給紙を開始する（ステップＳ６０３）。
【００３４】
原稿台４０２に載置された原稿４０１は、給送ローラ５０３と分離ローラ５０２とにより１枚ずつ分離され、搬送路に給送される。
【００３５】
一方、スタートボタン１８０４が押下されず（ステップＳ６００でＮＯ）、かつストップボタン１８０５が押下されたときは（ステップＳ６０１でＹＥＳ）、ステップＳ６１０へ進み、図６のスキャン終了処理を実行する。
【００３６】
次に、搬送路に給紙された原稿４０１の先端がレジストセンサ５０６を通過し（ステップＳ６０４でＹＥＳ）、その一定時間後に表読取センサ５０７および裏読取センサ５０８を制御して原稿４０１の画像読取を開始する（ステップＳ６０５）。
【００３７】
一方、原稿４０１の先端がレジストセンサ５０６を通過していないときは（ステップＳ６０４でＮＯ）、重送検知センサ５０５により原稿４０１の重送を検知したか否かを判別し（ステップＳ６１１）、重送を検知したときは（ステップＳ６１１でＹＥＳ）、重送検知情報を保持し（ステップＳ６１３）、ステップＳ６０４へ戻る。また、重送を検知していないときも（ステップＳ６１１でＮＯ）、ステップＳ６０４へ戻る。
【００３８】
ステップＳ６０５の画像読み取りが開始された後、原稿４０１の後端がレジストセンサ５０６を通過し（ステップＳ６０６でＹＥＳ）、その一定時間後に表読取センサ５０７および裏読取センサ５０８を制御して原稿４０１の読み取りを終了する（ステップＳ６０７）。
【００３９】
一方、原稿４０１の後端がレジストセンサ５０６を通過していないときは（ステップＳ６０６でＮＯ）、所定の画像読取処理を続けながら、重送検知センサ５０５により原稿４０１の重送を検知したか否かを判別し（ステップＳ６１５）、重送を検知したときは（ステップＳ６１５でＹＥＳ）、重送検知情報を保持し（ステップＳ６１７）、ステップＳ６０６へ戻る。また、重送を検知していないときも（ステップＳ６１５でＮＯ）、ステップＳ６０６へ戻る。本実施形態では、このように重送を検知しても原稿の画像の読取処理を完了させるところに特徴がある。これにより、封筒等で重送を誤検知していた場合には、当該封筒等を再度読み取らせる必要がなくなる。また、封筒等の再読取時に必要となる重送検知機能の停止等の設定変更を行うわずらわしさをなくすことができる。
【００４０】
読み取られた原稿４０１の画像は、重送情報を保持していないときは（ステップＳ６１８でＹＥＳ）、画像データとしてＳＣＳＩ制御部２１０を介してホストコンピュータ（外部機器）２１４に送出される（ステップＳ６１９）。重送検知情報を保持しているときは（ステップＳ６１８でＮＯ）、画像データは画像メモリ２０４に保持されたまま送出はしない。
【００４１】
次に、原稿４０１が排紙センサ５１１を通過したら（ステップＳ６０８でＹＥＳ）、重送検知情報を保持していないときは（ステップＳ６２０でＹＥＳ）、原稿４０１を排紙台４０３に排紙してメインモータ５０９を停止し（ステップＳ６０９）、ステップＳ６０２へ戻って処理を繰り返す。
【００４２】
原稿台４０２に載置された複数枚の原稿４０１を全て読み取り終え、給紙センサ５０４により原稿４０１を検知しなくなったときは、（ステップＳ６０２でＮＯ）、ステップＳ６１０へ進み、スキャン終了処理を実行する。
【００４３】
一方、ステップＳ６２０で重送検知情報を保持しているときは（ステップＳ６２０でＮＯ）、原稿４０１を原稿排出口から引き抜ける状態になる位置まで搬送したところでメインモータ５０９を停止させ、原稿４０１を排紙台４０３に排紙が完了していない状態とする（ステップＳ６２１）。
【００４４】
その後、ステップＳ６２２へ進み、図７の重送後処理を実行する。本実施形態では、このように、重送検知情報を保持しているときは排紙が完了していない状態で原稿の搬送を停止することに特徴がある。これにより、オペレータは重送と判定された原稿が封筒等であるか否かを容易に判別できる。
【００４５】
図６は、図５のステップＳ６１０におけるスキャン終了処理を説明するためのフローチャート図である。
【００４６】
図６において、スキャン終了処理としてメインモータ５０９を停止（ステップＳ８０２）した後、次の原稿がない旨をホストコンピュータ２１４に通知して（ステップＳ８０４）、本処理を終了する。次の原稿がない旨を受け取ったホストコンピュータ２１４は、スキャナドライバによりディスプレイ２２０に図１１に示す継続ダイアログボックスを表示して、オペレータに画像読み取りを継続するか否かの判断を促す。
【００４７】
図７は、図５のステップＳ６２２における重送後処理を説明するためのフローチャート図である。
【００４８】
図７において、原稿の搬送中または画像の読取中に重送検知センサ５０５により原稿４０１の重送を検知したときは、操作パネル４０４のＬＣＤ１８０３に図４に示す重送を検知した旨のメッセージと、画像読取の再開を重送検知した原稿４０１から行うか（再読取）、画像読取の再開を重送検知した原稿４０１の次の原稿４０１から行うか（新読取）、画像読取を中止するか（キャンセル）の選択肢となるメッセージとを表示してオペレータに選択させる（ステップＳ１０３）。
【００４９】
ここで、画像読取の再開を重送検知した原稿４０１から行う（再読取）というのは、重送を検知した原稿４０１が実際に重送されていた場合である。画像読取の再開を重送検知した原稿４０１の次の原稿４０１から行う（新読取）というのは、重送を検知した原稿４０１が、封筒、あるいは付箋紙付き、あるいは写真貼付け等で、重送であると誤検知した場合であり、スキャンした画像は正常である。この場合、重送検知情報は解除される。オペレータは排出途中で停止した原稿を目視で確認できるので、次に行う処理を容易に選択できる。
【００５０】
上記選択を行わせるため、ＣＰＵ２０８は、スタートボタン１８０４が押されたかを判別すると共に（ステップＳ１０４）、ストップボタン１８０５が押されたかを判別し（ステップＳ１０５）、どちらも押されていない場合、選択ボタン１８０１，１８０２が押されたかどうかを判断する（ステップＳ１０６）。
【００５１】
選択ボタン１８０１，１８０２が押されたのであれば（ステップＳ１０６でＹＥＳ）、選択ボタン１８０１，１８０２が押される度に、図８および図９に示すようにＬＣＤ１８０３の表示を切り替え、選択されている状態を変更する（ステップＳ１０２）。
【００５２】
ここで、スタートボタン１８０４を押す前に選択ボタン１８０１，１８０２を押すことで、画像読取の再開を重送検知した原稿４０１から行う（再読取）ことをオペレータが選択していたとする。オペレータによって原稿４０１は原稿排出口から引き抜かれ、再度、原稿台４０２に原稿４０１がセットしなおされる。
【００５３】
そして、スタートボタン１８０４が押されたときは（ステップＳ１０４でＹＥＳ）、原稿の再読取と判断して（ステップＳ１０７でＹＥＳ）、画像メモリ２０４に保持されている画像データを破棄し（ステップＳ１１０）、図５のステップＳ６０２へ戻り、画像読み取り前に設定されていた設定情報に基づいて画像読取を再開する。
【００５４】
一方、スタートボタン１８０４を押す前に選択ボタン１８０１，１８０２を押すことで、画像読取の再開を重送検知した原稿４０１の次の原稿（後続原稿）４０１から行う（新読取）ことをオペレータが選択していた場合、スタートボタン１８０４が押されたときは（ステップＳ１０４でＹＥＳ）、原稿の再読取ではなく（ステップＳ１０７でＮＯ）、次原稿の読取であると判断する（ステップＳ１０８でＹＥＳ）。そして、画像メモリ２０４に保持されている画像データは読み出されて、ＳＣＳＩ制御部２１０を介してホストコンピュータ２１４に送信され（ステップＳ１０９）、図５のステップＳ６０２へ戻り、画像読み取り前に設定されていた設定情報に基づいて画像読取を再開する。
【００５５】
また、スタートボタン１８０４を押す前に選択ボタン１８０１，１８０２を押すことで画像読取の中止（キャンセル）が選択されていた場合、スタートボタン１８０４が押されたときは（ステップＳ１０４でＹＥＳ）、原稿の再読取ではなく（ステップＳ１０７でＮＯ）、次原稿からの読取でもないと判断し（ステップＳ１０８でＮＯ）、画像データを破棄し（ステップＳ１１１）、画像読取終了処理を実行する。また、スタートボタン１８０４が押下されず（ステップＳ１０４でＮＯ）、ストップボタン１８０５が押下されたときは（ステップＳ１０５でＹＥＳ）、画像データを破棄し（ステップＳ１１１）、画像読取終了処理を実行する。
【００５６】
このように、原稿４０１の重送が発生した場合でも、原稿４０１は画像読取装置２００から簡単に取り出せる位置で停止しているため、カバーを開閉して原稿４０１を搬送路から取り除く処理が不要となる。
【００５７】
また、目視での確認でその原稿４０１が実際に重送していたなら、再度原稿台４０２に原稿を載置してスタートボタン１８０４を押下するだけでよい。
【００５８】
更に、その原稿４０１が封筒、付箋紙付きあるいは写真貼付け等の場合に、重送であると誤検知したときは、オペレータが操作パネル４０４のＬＣＤ１８０３上で重送後の処理を選択することによって、重送の誤検知が解除されるので、そのままの状態でスタートボタン１８０４を押下するだけでよく、それ以降の原稿読み取りを継続して行うことができる。
【００５９】
更に、原稿の重送検知時に、オペレータが再設定やホストコンピュータ上での再操作を行うことなく、原稿の画像読み取りを行うことができる。
【００６０】
以上説明したように、本実施形態では、原稿の重送を誤検知した場合であっても、対応した回復処理を行うため、オペレータが、重送検知時に、再設定や、ホストコンピュータ上での再操作や、原稿の画像読み取りを行うことなく、読み取り作業効率を向上させることができる。
【００６１】
なお、本発明は、上記実施形態に例示したものに限定されるものではなく、本発明の要旨を逸脱しない範囲において適宜変更可能である。
【００６２】
例えば、上記実施形態では、画像読取装置２００本体で重送検知後処理、すなわちエラー表示および処理の選択を行っているが、ホストコンピュータ２１４側のスキャナドライバにより行ってもよい。
【００６３】
また、上記実施形態では、画像読取装置２００本体で、重送が発生した後に、処理の選択を行っているが、あらかじめ、画像読取前に、ホストコンピュータ２１４側のスキャナドライバにより重送時の処理を選択しておけるようにしてもよいし、あらかじめ、画像読取前に、画像読取装置２００本体のモード設定ボタン１８０６の操作によって重送時の処理を選択しておけるようにしてもよい。このようにすれば、オペレータは、重送検知により排出途中で停止した原稿を再度積載する等の行為を行うだけでよく、あらかじめ選択してある動作で問題なければ、改めて選択を行う必要がなくなる。
【００６４】
更に、上記実施形態では、重送検知を原稿の厚みによる重送検知センサ制御部２１１により行っているが、原稿検知センサ制御部２０６による原稿長の検知や超音波センサや赤外線センサ等により行うようにしてもよい。
【００６５】
更に、上記実施形態では、ホストコンピュータ２１４との画像転送インターフェースにＳＣＳＩを用いたが、ＵＳＢやＦｉｒｅＷｉｒｅ（商標）等を用いてもよい。
【００６６】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６７】
この場合、記憶媒体から読み出されたプログラムコード自体が前述した実施の形態の機能を実現することになり、そのプログラムコード及び該プログラムコードを記憶した記憶媒体は本発明を構成することになる。
【００６８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７０】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【００７１】
２００  画像読取装置
２０３  画像処理部
２０４  画像メモリ
２０５  駆動制御部
２０６  原稿検知センサ制御部
２０７  フラッシュメモリ
２０８  ＣＰＵ（制御手段）
２０９  タイマ
２１０  ＳＣＳＩ制御部
２１１  重送検知センサ制御部
２１２  ＬＣＤ制御部
２１３  スイッチ制御部
２１４  ホストコンピュータ
２２０  ディスプレイ
２２１  マウス／キーボード
４０１  原稿
４０２  原稿台（積載部）
４０３  排紙台
４０４  操作パネル
４０５  原稿規制板
５０２  分離ローラ
５０３  給送ローラ（給送手段）
５０４  給紙センサ
５０５  重送検知センサ（重送検知手段）
５０６  レジストセンサ
５０７  表読取センサ（読取手段）
５０８  裏読取センサ（読取手段）
５０９  メインモータ
５１０  排紙ローラ
５１１  排紙センサ
５１２  排紙従動ローラ
１８０１，１８０２  選択ボタン（選択手段）
１８０３  ＬＣＤ（選択手段、表示手段）
１８０４  スタートボタン
１８０５  ストップボタン
１８０６  モード設定ボタン
【図１】
0005572677.tif 000002
【図２】
0005572677.tif 000003
【図３】
0005572677.tif 000004
【図４】
0005572677.tif 000005
【図５】
0005572677.tif 000006
【図６】
0005572677.tif 000007
【図７】
0005572677.tif 000008
【図８】
0005572677.tif 000009
【図９】
0005572677.tif 000010
【図１０】
0005572677.tif 000011
【図１１】
0005572677.tif 000012